(57)【要約】【課題】  簡易な構造を採用するとともに、施開錠作業を容易に行うことができる錠装置を提供する。【解決手段】両端部にループ部を有し、対象となる構造物に巻き付け可能な環装部を形成する長尺部材と、一部に開口部を有しループ部に挿通される本体部と、開口部を閉鎖し、少なくとも、本体部の一端に回動可能に軸支される揺動部と、本体部の他端に設置される係止部とを備えてなる錠部とからなり、本体部と錠部にて長尺部材を挿通可能とする挿通部を形成する錠本体とを備えることを特徴とする錠装置、より好ましくは、挿通部の領域は、長尺部材における断面積の３倍程度以下とされる錠装置、ループ部のうち、少なくとも一方のループ部が他方のループ部及び長尺部材を挿通可能とする錠装置、本体部は、略Ｃ字状に形成される錠装置、長尺部材は、芯材となる長尺状の鎖と、鎖を被覆する被覆部とを備える錠装置。【選択図】  図１
2018028191.tif 000002
【特許請求の範囲】
【請求項１】
両端部にループ部を有し、対象となる構造物に巻き付け可能な環装部を形成する長尺部材と、
一部に開口部を有し前記ループ部に挿通される本体部と、前記開口部を閉鎖し、少なくとも、前記本体部の一端に回動可能に軸支される揺動部と、前記本体部の他端に設置される係止部とを備えてなる錠部とからなり、前記本体部と前記錠部にて前記長尺部材を挿通可能とする挿通部を形成する錠本体と、
を備えることを特徴とする錠装置。
【請求項２】
前記挿通部の領域は、前記長尺部材における断面積の３倍程度以下とされる請求項１に記載の錠装置。
【請求項３】
前記ループ部のうち、少なくとも一方のループ部が他方のループ部及び前記長尺部材を挿通可能とする請求項１又は請求項２に記載の錠装置。
【請求項４】
前記本体部は、略Ｃ字状に形成される請求項１から請求項３のいずれか１項に記載の錠装置。
【請求項５】
前記長尺部材は、芯材となる長尺状の鎖と、前記鎖を被覆する被覆部とを備える請求項１から請求項４のいずれか１項に記載の錠装置。
【発明の詳細な説明】
【技術分野】
【０００１】
本発明は、自転車、手荷物等を対象となる構造物に固定する錠装置に関するものである。
【背景技術】
【０００２】
従来より、自転車等を一時的に放置する際に、盗難防止の手段として使用される錠装置が公知である。当該錠装置は、例えば、可撓性のあるワイヤロープの一端に接続された錠部と、ワイヤロープの他端に設けられ、錠部と係脱自在に係合する係合部とを備えた錠装置において、ワイヤロープの周囲には可撓性のあるワイヤがコイル状に巻き付けられ、ワイヤの両端部にはループ部が形成され、ループ部をワイヤロープが挿通しているものが公知である（特許文献１参照）。
【先行技術文献】
【特許文献】
【０００３】
【特許文献１】特開２００５−６７４１２号公報
【発明の概要】
【発明が解決しようとする課題】
【０００４】
しかしながら、上記構造の錠装置においては、ワイヤロープの周囲に巻き付けられたワイヤを引き伸ばして構造物に巻き付け、自転車等を固定することができるものであるが、全体としての錠装置の構造が複雑となり、使用後においては、ワイヤを再びワイヤロープに巻き付けるための作業が煩雑となる虞があった。
【０００５】
そこで、本発明はこのような問題点を解決するものであって、簡易な構造を採用するとともに、施開錠作業を容易に行うことができる錠装置を提供することを課題とする。
【課題を解決するための手段】
【０００６】
前記問題点を解決するために、本発明の請求項１に記載の錠装置は、両端部にループ部を有し、対象となる構造物に巻き付け可能な環装部を形成する長尺部材と、一部に開口部を有し前記ループ部に挿通される本体部と、前記開口部を閉鎖し、少なくとも、前記本体部の一端に回動可能に軸支される揺動部と、前記本体部の他端に設置される係止部とを備えてなる錠部とからなり、前記本体部と前記錠部にて前記長尺部材を挿通可能とする挿通部を形成する錠本体とを備えることを特徴とするものである。
【０００７】
また、本発明の請求項２に記載の錠装置は、請求項１に記載の錠装置において、前記挿通部の領域は、前記長尺部材における断面積の３倍程度以下とされるものである。
【０００８】
また、本発明の請求項３に記載の錠装置は、請求項１又は請求項２に記載の錠装置において、前記ループ部のうち、少なくとも一方のループ部が他方のループ部及び前記長尺部材を挿通可能とするものである。
【０００９】
また、本発明の請求項４に記載の錠装置は、請求項１から請求項３のいずれか１項に記載の錠装置において、前記本体部は、略Ｃ字状に形成されるものである。
【００１０】
また、本発明の請求項５に記載の錠装置は、請求項１から請求項４のいずれか１項に記載の錠装置において、前記長尺部材は、芯材となる長尺状の鎖と、前記鎖を被覆する被覆部とを備えるものである。
【発明の効果】
【００１１】
本発明の錠装置では、ループ部を有する長尺部材と、錠部を有する錠本体とから構成するため、簡易な構造とすることができる。また、長尺部材の両端部にループ部を有するとともに、錠本体に挿通部が形成されるため、一対の構造物に対して、施開錠作業を容易に行うことができる。
【図面の簡単な説明】
【００１２】
【図１】本発明の実施例における錠装置の使用前の全体図である。
【図２】本発明の実施例における錠装置の使用時の一端側説明図である。
【図３】本発明の実施例における錠装置の使用時の他端側説明図である。
【図４】本発明の実施例における錠装置を一対の構造物に固定した状態説明図である。
【発明を実施するための形態】
【実施例】
【００１３】
以下、本発明の実施の形態における錠装置を図面に基づいて説明する。図１は、錠装置の使用前の全体図である。図２は、錠装置の使用時の一端側説明図である。図３は、錠装置の使用時の他端側説明図である。図４は、錠装置を一対の構造物に固定した状態説明図である。
【００１４】
錠装置１０は、図１及び図４に示すように、電柱、街路樹等の対象となる構造物Ｐに巻き付け可能な長尺部材２０と、本体部３１及び錠部３２からなる錠本体３０とから構成される。
【００１５】
長尺部材２０は、対象となる構造物Ｐに巻き付けることができるものであって、両端部にループ部を有してなる。当該ループ部は、長尺部材２０の一端部に設けられる第１ループ部２１と、他端部に設けられる第２ループ部２２とから構成される。また、長尺部材２０の長さは、例えば、１ｍ〜２ｍ程度とされるが、必要に応じて設定されるものであって、特に制限されるものではない。
【００１６】
第１ループ部２１は、第２ループ部２２及び長尺部材２０が挿通可能となるよう形成されており、図２に示すように、長尺部材２０の一部にて構造物Ｐを収容し得る第１環装部１１を形成するよう構成される。また、第２ループ部２２は、後述する錠本体３０の本体部３１が挿通可能となるよう形成される。
【００１７】
また、長尺部材２０は、構造物Ｐに巻き付け可能となる内部の芯材２３と、当該芯材２３を被覆する外部の被覆部２４とから構成される。当該芯材２３は、構造物Ｐに巻き付けることができるよう、可撓性、湾曲性、屈曲性等のいずれか又は複数の特性を備える素材、材質等から形成されていれば、特に制限されるものではない。芯材２３は、例えば、鎖、ワイヤー、合成樹脂製チューブ等から形成される。
【００１８】
また、被覆部２４は、錠装置１０の使用時における構造物Ｐの損傷等の防止、ユーザの安全性等の観点から芯材２３に被覆されるものである。被覆部２４は、例えば、布材、軟質又は弾性を有する合成樹脂等から形成される。
【００１９】
本実施例においては、長尺部材２０の第１ループ部２１は、環状に形成されており、長尺状の鎖から構成される芯材２３の一端部に設置される。また、第２ループ部２２は、芯材２３となる鎖の他端部の一部とされる。また、被覆部２４は、芯材２３となる鎖を被覆する厚手の布材とされる。これにより、ユーザの安全性を確保したうえで、長尺部材２０のコストを低減することができる。
【００２０】
錠本体３０は、図１及び図３に示すように、長尺部材２０に掛止することで、構造物Ｐと当該構造物Ｐに巻き付けられた長尺部材２０とを一体的に固定するものである。錠本体３０は、一部に開口部（図示しない）を有する本体部３１と、当該開口部を閉鎖する錠部３２とから構成される。これにより、錠部３２が開口部を閉鎖することで、長尺部材２０を挿通可能とする挿通部３３を形成することができる。
【００２１】
本体部３１は、円柱状の金属又は合成樹脂等からなる線材が例えば、略Ｃ字状に折曲されることで、一部に開口部を形成するよう構成される。また、当該本体部３１の一端部には、開口部を閉鎖するよう回動可能に本体部３１に軸支される揺動部３４が設置される。当該揺動部３４は、本体部３１の一端部を平板状にすることで、ピン等の固定手段によって回動自在とされる。
【００２２】
一方、本体部３１の他端部には、本体部３１の一部を窪ませてなる係止部３５が形成される。当該係止部３５は、揺動部３４における係止ピン３６に対応するように形成されており、揺動部３４にて本体部３１の他端部側へ抱持するようにして、錠本体３０を施錠することができるよう構成される。また、揺動部３４には、公知のダイヤル式錠３７が設置されている。
【００２３】
そして、図１に示すように、第１ループ部２１及び第２ループ部２２に本体部３１を挿通するとともに、錠本体３０を施錠することで、錠本体３０に対して長尺部材２０を取り付けることができる構成としている。また、図３に示すように、錠本体３０の挿通部３３に長尺部材２０を挿通することで、長尺部材２０の一部にて構造物Ｐを収容し得る第２環装部１２を形成するよう構成される。
【００２４】
このとき、錠本体３０の挿通部３３は、長尺部材２０における断面積の２〜３倍程度の大きさの対象となる構造物Ｐを収容し得るものの、それ以上の大きさの構造物Ｐが収容されることはなく、少なくとも長尺部材２０が挿通し得るよう構成されていればよい趣旨である。より望ましくは、挿通部３３の領域は、長尺部材２０の断面積と略同程度の大きさとされる。これにより、錠本体３０の小型化、軽量化を図ることができ、持ち運びの際や、収納の際等の取扱いの利便性を向上することができる。さらに、長尺部材２０と略同程度の大きさの構造物Ｐに対しても、錠本体３０を用いて掛止することができる。
【００２５】
このようにして構成される錠装置１０は、次のようにして、対象となる電柱、街路樹等の構造物Ｐに取り付けられる。
【００２６】
図２から図４に示すように、一方の構造物Ｐに対して、長尺部材２０を回し込むとともに、第１ループ部２１に第２ループ部２２及び長尺部材２０を一体的に挿通し、第１環装部１１内に構造物Ｐを収容して、長尺部材２０の一部を構造物Ｐに巻き付ける。
【００２７】
次に、他方の構造物Ｐに対して、長尺部材２０の第２ループ部２２側を回し込む。そして、錠本体３０を開錠した状態とし、第２ループ部２２に錠本体３０の本体部３１を挿通させるとともに、錠本体３０内における挿通部３３に残部となる長尺部材２０を挿通させて、錠本体３０を施錠する。これにより、一対の構造物Ｐに対して、錠装置１０の施開錠作業を容易に行うことができる。
【００２８】
以上、説明した本発明の実施例に係る錠装置１０によれば、ループ部を有する長尺部材２０と、錠部３２を有する錠本体３０とから構成するため、簡易な構造とすることができる。また、長尺部材２０の両端部にループ部を有するとともに、錠本体３０に挿通部３３が形成されるため、一対の構造物Ｐに対して、施開錠作業を容易に行うことができる。また、未使用時においては、長尺部材２０を折り畳んだ状態でズボンのベルト止め、鞄等に錠本体３０を引っ掛けることで携帯性を向上させることができる。
【００２９】
上述した実施例において、長尺部材２０、錠本体３０の形状、寸法、材質等を適宜変更して実施することが可能である。例えば、長尺部材２０においては、芯材２３を鎖とし、被覆部２４を布材とされるものであったが、芯材２３が合成樹脂チューブ等の可撓性等を有するものであって、ユーザの安全性等が確保されるものであれば、被覆部２４を設けない構成とすることもできるのは勿論である。
【００３０】
また、錠部３２においては、公知のダイヤル式錠３７が用いられるものであったが、これに限られるものではない。例えば、鍵部によって施開錠が可能となるロック機構を有したもの等とすることができるのは勿論である。
【００３１】
また、錠装置１０においては、対象となる電柱、街路樹等の構造物Ｐに取り付けられるものであったが、自転車等、その他錠装置が通常使用され得る場所で同様に用いることができるのは勿論である。また、一対の構造部Ｐに対して、錠装置１０の施開錠を行うものであったが、長尺部材２０の一部を一方の構造物Ｐに巻き付けるとともに、錠本体３０の挿通部３３に長尺部材２０と略同程度の構造物Ｐを挿通させ、錠本体３０を用いて掛止することができるのは勿論である。
【００３２】
また、一部構成を省略することができるし、一部抽出した構成とすることができるのは勿論である。
【符号の説明】
【００３３】
１０    錠装置
１１    第１環装部
１２    第２環装部
２０    長尺部材
２１    第１ループ部
２２    第２ループ部
２３    鎖
２４    被覆部
３０    錠本体
３１    本体部
３２    錠部
３３    挿通部
３４    揺動部
３５    係止部
３６    係止ピン
３７    ダイヤル式錠
Ｐ      構造物
【図１】
2018028191.tif 000003
【図２】
2018028191.tif 000004
【図３】
2018028191.tif 000005
【図４】
2018028191.tif 000006